(57)【要約】【課題】取付パネルへの取付作業性を向上することができるコネクタ、コネクタカバー、及び、ワイヤハーネスを提供することを目的とする。【解決手段】ワイヤハーネスＷＨのコネクタ１は、端子２が設けられ取付パネルＰ１に形成された取付孔Ｈ１内に軸方向Ｘに嵌合可能であるコネクタハウジング３と、コネクタハウジング３に装着され、端子２に接続された配索材Ｗが挿通され当該配索材Ｗを交差方向に沿ってオフセットさせるコネクタカバー４とを備え、コネクタカバー４は、コネクタハウジング３が取付孔Ｈ１に嵌合した状態で、軸方向Ｘに沿って視た軸方向視において、取付パネルＰ１と軸方向Ｘに対向する対向パネルＰ２にコネクタハウジング３が通過可能に形成され交差方向に対して取付孔Ｈ１とずれて位置する挿通孔Ｈ２内に露出する位置に把持可能に形成された把持部４３を有することを特徴とする。【選択図】図１
2018049702.tif 000002
【特許請求の範囲】
【請求項１】
端子が設けられ取付パネルに形成された取付孔内に軸方向に嵌合可能であるコネクタハウジングと、
前記コネクタハウジングに装着され、前記端子に接続された配索材が前記軸方向に沿って挿通され当該配索材を前記軸方向と交差する交差方向に沿ってオフセットさせるカバーとを備え、
前記カバーは、前記コネクタハウジングが前記取付孔に嵌合した状態で、前記軸方向に沿って視た軸方向視において、前記取付パネルと前記軸方向に対向する対向パネルに前記コネクタハウジングが通過可能に形成され前記交差方向に対して前記取付孔とずれて位置する挿通孔内に露出する位置に把持可能に形成された把持部を有することを特徴とする、
コネクタ。
【請求項２】
前記カバーは、前記把持部に隣接して設けられ前記コネクタハウジングを前記軸方向に沿って前記取付孔内に押圧可能に形成され、前記軸方向視において、前記挿通孔内に露出して位置する押圧部を有する、
請求項１に記載のコネクタ。
【請求項３】
前記押圧部は、前記交差方向に沿って形成された平坦面を含む、
請求項２に記載のコネクタ。
【請求項４】
前記コネクタハウジングは、前記取付孔を形成する取付縁部と当接する位置に、当該コネクタハウジングを前記取付孔内の嵌合位置に回動させる回動動作の支点を構成する角部を有する、
請求項１乃至請求項３のいずれか１項に記載のコネクタ。
【請求項５】
前記取付孔と前記挿通孔とは、前記軸方向視において、少なくとも前記取付孔の一部が前記挿通孔の範囲外に位置する、
請求項１乃至請求項４のいずれか１項に記載のコネクタ。
【請求項６】
前記取付孔と前記挿通孔とは、前記軸方向視において、前記取付孔の重心位置が前記挿通孔の範囲外に位置する、
請求項１乃至請求項５のいずれか１項に記載のコネクタ。
【請求項７】
前記取付孔と前記挿通孔とは、前記取付孔の重心位置と前記挿通孔の重心位置とが前記交差方向であって互いに直交する２方向にずれて位置する、
請求項１乃至請求項６のいずれか１項に記載のコネクタ。
【請求項８】
前記取付孔と前記挿通孔とは、前記軸方向視において、重ならずに位置する、
請求項１乃至請求項７のいずれか１項に記載のコネクタ。
【請求項９】
端子が設けられ取付パネルに形成された取付孔内に軸方向に嵌合可能であるコネクタハウジングに装着される装着部と、
前記端子に接続された配索材が前記軸方向に沿って挿通され当該配索材を前記軸方向と交差する交差方向に沿ってオフセットさせるオフセット部と、
前記コネクタハウジングが前記取付孔に嵌合した状態で、前記軸方向に沿って視た軸方向視において、前記取付パネルと前記軸方向に対向する対向パネルに前記コネクタハウジングが通過可能に形成され前記交差方向に対して前記取付孔とずれて位置する挿通孔内に露出する位置に把持可能に形成された把持部とを有することを特徴とする、
コネクタカバー。
【請求項１０】
導電性の配索材と、
前記配索材に接続されるコネクタとを備え、
前記コネクタは、
前記配索材に接続された端子が設けられ取付パネルに形成された取付孔内に軸方向に嵌合可能であるコネクタハウジングと、
前記コネクタハウジングに装着され、前記配索材が前記軸方向に沿って挿通され当該配索材を前記軸方向と交差する交差方向に沿ってオフセットさせるカバーとを備え、
前記カバーは、前記コネクタハウジングが前記取付孔に嵌合した状態で、前記軸方向に沿って視た軸方向視において、前記取付パネルと前記軸方向に対向する対向パネルに前記コネクタハウジングが通過可能に形成され前記交差方向に対して前記取付孔とずれて位置する挿通孔内に露出する位置に把持可能に形成された把持部を有することを特徴とする、
ワイヤハーネス。
【発明の詳細な説明】
【技術分野】
【０００１】
本発明は、コネクタ、コネクタカバー、及び、ワイヤハーネスに関する。
【背景技術】
【０００２】
車両のワイヤハーネス等に適用される従来のコネクタとして、例えば、特許文献１には、パネルの取付孔にパネルに直交する方向の一方側から装着される第１のコネクタハウジングと、パネルを挟んでパネルに直交する方向の他方側から取付孔を通して第１のコネクタハウジングに嵌合される第２のコネクタハウジングと、を備えたパネル固定型のコネクタ装置が開示されている。このパネル固定型のコネクタ装置は、各コネクタハウジングに、当該各コネクタハウジングが相互に嵌合した際に互いに電気的に接続される端子が収容されており、それにより、それぞれ第１コネクタと第２コネクタとが構成されている。
【先行技術文献】
【特許文献】
【０００３】
【特許文献１】特開２０１４−０５３２０６号公報
【発明の概要】
【発明が解決しようとする課題】
【０００４】
ところで、上述の特許文献１に記載のパネル固定型のコネクタ装置は、例えば、パネルへの取付作業性の点で更なる改善の余地がある。
【０００５】
本発明は、上記の事情に鑑みてなされたものであって、取付パネルへの取付作業性を向上することができるコネクタ、コネクタカバー、及び、ワイヤハーネスを提供することを目的とする。
【課題を解決するための手段】
【０００６】
上記目的を達成するために、本発明に係るコネクタは、端子が設けられ取付パネルに形成された取付孔内に軸方向に嵌合可能であるコネクタハウジングと、前記コネクタハウジングに装着され、前記端子に接続された配索材が前記軸方向に沿って挿通され当該配索材を前記軸方向と交差する交差方向に沿ってオフセットさせるカバーとを備え、前記カバーは、前記コネクタハウジングが前記取付孔に嵌合した状態で、前記軸方向に沿って視た軸方向視において、前記取付パネルと前記軸方向に対向する対向パネルに前記コネクタハウジングが通過可能に形成され前記交差方向に対して前記取付孔とずれて位置する挿通孔内に露出する位置に把持可能に形成された把持部を有することを特徴とする。
【０００７】
また、上記コネクタでは、前記カバーは、前記把持部に隣接して設けられ前記コネクタハウジングを前記軸方向に沿って前記取付孔内に押圧可能に形成され、前記軸方向視において、前記挿通孔内に露出して位置する押圧部を有するものとすることができる。
【０００８】
また、上記コネクタでは、前記押圧部は、前記交差方向に沿って形成された平坦面を含むものとすることができる。
【０００９】
また、上記コネクタでは、前記コネクタハウジングは、前記取付孔を形成する取付縁部と当接する位置に、当該コネクタハウジングを前記取付孔内の嵌合位置に回動させる回動動作の支点を構成する角部を有するものとすることができる。
【００１０】
また、上記コネクタでは、前記取付孔と前記挿通孔とは、前記軸方向視において、少なくとも前記取付孔の一部が前記挿通孔の範囲外に位置するものとすることができる。
【００１１】
また、上記コネクタでは、前記取付孔と前記挿通孔とは、前記軸方向視において、前記取付孔の重心位置が前記挿通孔の範囲外に位置するものとすることができる。
【００１２】
また、上記コネクタでは、前記取付孔と前記挿通孔とは、前記取付孔の重心位置と前記挿通孔の重心位置とが前記交差方向であって互いに直交する２方向にずれて位置するものとすることができる。
【００１３】
また、上記コネクタでは、前記取付孔と前記挿通孔とは、前記軸方向視において、重ならずに位置するものとすることができる。
【００１４】
上記目的を達成するために、本発明に係るコネクタカバーは、端子が設けられ取付パネルに形成された取付孔内に軸方向に嵌合可能であるコネクタハウジングに装着される装着部と、前記端子に接続された配索材が前記軸方向に沿って挿通され当該配索材を前記軸方向と交差する交差方向に沿ってオフセットさせるオフセット部と、前記コネクタハウジングが前記取付孔に嵌合した状態で、前記軸方向に沿って視た軸方向視において、前記取付パネルと前記軸方向に対向する対向パネルに前記コネクタハウジングが通過可能に形成され前記交差方向に対して前記取付孔とずれて位置する挿通孔内に露出する位置に把持可能に形成された把持部とを有することを特徴とする。
【００１５】
上記目的を達成するために、本発明に係るワイヤハーネスは、導電性の配索材と、前記配索材に接続されるコネクタとを備え、前記コネクタは、前記配索材に接続された端子が設けられ取付パネルに形成された取付孔内に軸方向に嵌合可能であるコネクタハウジングと、前記コネクタハウジングに装着され、前記配索材が前記軸方向に沿って挿通され当該配索材を前記軸方向と交差する交差方向に沿ってオフセットさせるカバーとを備え、前記カバーは、前記コネクタハウジングが前記取付孔に嵌合した状態で、前記軸方向に沿って視た軸方向視において、前記取付パネルと前記軸方向に対向する対向パネルに前記コネクタハウジングが通過可能に形成され前記交差方向に対して前記取付孔とずれて位置する挿通孔内に露出する位置に把持可能に形成された把持部を有することを特徴とする。
【発明の効果】
【００１６】
本発明に係るコネクタ、コネクタカバー、及び、ワイヤハーネスは、取付孔が形成された取付パネルと対向して対向パネルが位置し、当該対向パネルにおいて交差方向に取付孔とずれた位置に挿通孔が形成されている場合に、端子に接続されカバーに挿通された配索材を当該カバーによって交差方向に沿ってオフセットさせると共に、コネクタハウジングが取付孔に嵌合した状態で、当該カバーにおいて挿通孔内に露出する位置に把持部が把持可能に形成される。この構成により、コネクタ、コネクタカバー、ワイヤハーネスは、コネクタハウジングが取付孔に嵌合した状態で挿通孔内に露出する位置関係にある把持部を把持しながら、当該挿通孔を介してコネクタハウジングを取付孔に嵌合させることができるので、取付パネルへの取付作業性を向上することができる、という効果を奏する。
【図面の簡単な説明】
【００１７】
【図１】図１は、実施形態に係るコネクタの概略構成を表す模式的な上面図である。
【図２】図２は、実施形態に係るコネクタの概略構成を表す模式的な側面図である。
【図３】図３は、実施形態に係るコネクタが適用される取付パネルについて説明する模式的な正面図である。
【図４】図４は、実施形態に係るコネクタの回動支点について説明する模式的な上面図である。
【図５】図５は、変形例に係るコネクタの概略構成を表す模式的な上面図である。
【発明を実施するための形態】
【００１８】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１９】
なお、以下の説明では、互いに交差する第１方向、第２方向、及び、第３方向のうち、第１方向を「軸方向Ｘ」といい、第２方向を「幅方向Ｙ」といい、第３方向を「高さ方向Ｚ」という。ここでは、軸方向Ｘと幅方向Ｙと高さ方向Ｚとは、相互に直交し、幅方向Ｙと高さ方向Ｚとは、軸方向Ｘの交差方向に相当する。軸方向Ｘは、典型的には、後述するコネクタハウジングに保持される端子の延在方向、さらに言えば、当該端子を保持するための端子挿入室の延在方向に沿った方向に相当し、当該端子挿入室に端子を挿入する際の挿入方向に沿った方向である。また、軸方向Ｘは、後述する取付パネル、対向パネルの板厚方向に相当し、幅方向Ｙ、高さ方向Ｚは、取付パネル、対向パネルの延在方向に相当する。そして、軸方向Ｘは、取付パネルに形成された取付孔に対するコネクタハウジングの嵌合方向に相当する。以下の説明で用いる各方向は、特に断りのない限り、各部が相互に組み付けられた状態での方向を表すものとする。
【００２０】
［実施形態］
図１、図２に示す本実施形態のコネクタ１は、例えば、車両に使用されるワイヤハーネスＷＨ等に適用される。ここで、ワイヤハーネスＷＨは、例えば、車両に搭載される各装置間の接続のために、電源供給や信号通信に用いられる複数の配索材Ｗを束にして集合部品とし、コネクタ１等で複数の配索材Ｗを一度に各装置に接続するようにしたものである。ワイヤハーネスＷＨは、導電性の配索材Ｗと、当該配索材Ｗに接続されるコネクタ１とを備える。ワイヤハーネスＷＨは、この他、さらに、固定具、プロテクタや後述するグロメット等を含んで構成されてもよい。配索材Ｗは、例えば、導電性の棒状部材の外側を絶縁性の被覆部によって覆った金属棒、複数の導電性の金属素線からなる導体部（芯線）の外側を絶縁性の被覆部によって覆った電線、当該電線を束ねた電線束等によって構成される。
【００２１】
本実施形態のコネクタ１は、取付パネルＰ１に形成された取付孔Ｈ１に嵌合され固定されるパネル固定型のコネクタである。取付パネルＰ１は、例えば、車両のボデー側の配索空間とドア側の配索空間との間に介在する板状の部材である。本実施形態のコネクタ１は、例えば、ボデー側の配索空間側から取付孔Ｈ１に嵌合され固定される待ち受けコネクタを構成し、当該待ち受けコネクタを構成するコネクタ１に対してドア側の配索空間側から相手方コネクタである組み付けコネクタが嵌合されることで相互間に電気的な接続部位が形成される。これにより、コネクタ１は、ボデー側に配索される配索材Ｗと、ドア側に配索され相手方コネクタ（組み付けコネクタ）に接続された相手方配索材とを接続する配索材対配索材接続用の接続機構を構成する。
【００２２】
そして、本実施形態の取付パネルＰ１は、軸方向Ｘに対して対向パネルＰ２と対向して位置し、本実施形態のコネクタ１は、当該対向パネルＰ２に形成された挿通孔Ｈ２を介して対向パネルＰ２側から取付パネルＰ１の取付孔Ｈ１に軸方向Ｘに嵌合するものとして適用される。つまり、取付パネルＰ１は、コネクタ１の取付面側に対向パネルＰ２が位置し、当該対向パネルＰ２に形成された挿通孔Ｈ２の軸方向Ｘの奥側に、当該コネクタ１が嵌合する取付孔Ｈ１が位置している。取付孔Ｈ１は、取付パネルＰ１を軸方向Ｘに貫通して形成され、取付パネルＰ１を境界にして軸方向Ｘの両側に区画される２つの空間を連通させる。挿通孔Ｈ２は、対向パネルＰ２を軸方向Ｘに貫通して形成され、対向パネルＰ２を境界にして軸方向Ｘの両側に区画される２つの空間を連通させる。そして、取付パネルＰ１に形成された取付孔Ｈ１と対向パネルＰ２に形成された挿通孔Ｈ２とは、図３に示すように、取付孔Ｈ１に対するコネクタ１の嵌合方向である軸方向Ｘと交差する交差方向（幅方向Ｙ、高さ方向Ｚ）に対して相互にずれて位置する。取付孔Ｈ１と挿通孔Ｈ２とは、軸方向Ｘに沿って視た軸方向視において、少なくとも取付孔Ｈ１の一部が挿通孔Ｈ２の範囲外に位置するようにずれて位置する。すなわち、取付孔Ｈ１は、軸方向視において、少なくとも一部が挿通孔Ｈ２と重なっていない。さらに言えば、取付孔Ｈ１と挿通孔Ｈ２とは、軸方向視において、取付孔Ｈ１の重心位置Ｃ１が挿通孔Ｈ２の範囲外に位置し、挿通孔Ｈ２の重心位置Ｃ２が取付孔Ｈ１の範囲外に位置するようにずれて位置する。ここでは、取付孔Ｈ１、挿通孔Ｈ２は、それぞれ幅方向Ｙ、及び、高さ方向Ｚに対して線対称の形状に形成されており、重心位置Ｃ１、Ｃ２は、それぞれ取付孔Ｈ１、挿通孔Ｈ２の中心位置に相当する。本実施形態の取付孔Ｈ１は、後述するコネクタ１のコネクタハウジング３が嵌合可能な形状に形成され、ここでは、高さ方向Ｚが長手方向となる長円形状に形成される。挿通孔Ｈ２は、典型的には、取付孔Ｈ１より大きな孔として形成される。本実施形態の挿通孔Ｈ２は、後述するコネクタ１のコネクタハウジング３が通過可能な形状、挿通可能な形状に形成され、ここでは、高さ方向Ｚが長手方向となる長方形状でかつ角部が曲面状に形成される。また、本実施形態の取付孔Ｈ１と挿通孔Ｈ２とは、取付孔Ｈ１の重心位置Ｃ１と挿通孔Ｈ２の重心位置Ｃ２とが、交差方向であって互いに直交する２方向である幅方向Ｙと高さ方向Ｚとにずれて位置する。すなわち、取付孔Ｈ１と挿通孔Ｈ２とは、幅方向Ｙと高さ方向Ｚとに沿って斜めにずれて位置している。そして、本実施形態のコネクタ１は、上記のように、取付孔Ｈ１が形成された取付パネルＰ１と対向して対向パネルＰ２が位置し、当該対向パネルＰ２において取付孔Ｈ１とずれた位置に挿通孔Ｈ２が形成されている部位に適用される場合にあって、取付パネルＰ１への取付作業性を適正に確保したものである。以下、図１、図２を参照してコネクタ１の各構成について詳細に説明する。
【００２３】
具体的には、コネクタ１は、図１、図２に示すように、複数の端子２と、コネクタハウジング３と、コネクタカバーとしてのカバー４とを備える。
【００２４】
複数の端子２は、それぞれ複数の配索材Ｗの各端末に電気的に接続されるものである。複数の端子２は、導電性の金属材料によって構成される。端子２は、相手方コネクタに設けられた相手方端子と接続可能である。端子２は、雌型の端子形状の相手方端子と電気的に接続される雄型の端子形状であってもよいし、雄型の端子形状の相手方端子と電気的に接続される雌型の端子形状であってもよい。
【００２５】
コネクタハウジング３は、軸方向Ｘに沿って端子２が設けられ、当該端子２を収容、保持すると共に相手方コネクタに嵌合可能なものである。コネクタハウジング３は、絶縁性の樹脂材料によって構成される。コネクタハウジング３は、軸方向Ｘに沿って形成された複数の端子挿入室（不図示）に対して軸方向Ｘに沿って端子２が挿入され、当該端子挿入室に当該端子２を保持する。コネクタハウジング３は、相手方コネクタを構成する相手方コネクタハウジングと嵌合可能である。コネクタ１は、コネクタハウジング３と相手方コネクタハウジングとが軸方向Ｘに沿って相互に嵌合しコネクタ接合されることで、それぞれが備える端子２と相手方端子とが電気的に接続され、相互間に電気的な接続部位が形成される。そして、本実施形態のコネクタハウジング３は、上述したように、取付パネルＰ１に形成された取付孔Ｈ１内に軸方向Ｘに嵌合可能であり、かつ、対向パネルＰ２に形成された挿通孔Ｈ２を通過可能に構成される。つまり、コネクタハウジング３は、取付孔Ｈ１に嵌合可能で、かつ、挿通孔Ｈ２を通過可能な外形形状に形成される。コネクタハウジング３は、外面に複数の係止部３１を有する。係止部３１は、例えば、係止爪部等を含んで構成され、コネクタハウジング３が取付孔Ｈ１に嵌合された状態で取付パネルＰ１において当該取付孔Ｈ１を形成する取付縁部に係止されることで、コネクタハウジング３を取付孔Ｈ１に固定するものである。
【００２６】
カバー４は、コネクタハウジング３に装着され、端子２に接続された配索材Ｗが軸方向Ｘに沿って挿通され当該配索材Ｗを軸方向Ｘと交差する交差方向、ここでは、幅方向Ｙ、及び、高さ方向Ｚに沿ってオフセットさせるものである。カバー４は、例えば、コネクタハウジング３に保持された端子２の脱落を押えるリヤホルダとしての機能を有していてもよい。カバー４は、装着部４１と、オフセット部４２と、把持部４３と、押圧部４４とを有して構成され、全体が絶縁性の樹脂材料によって一体で形成される。カバー４は、装着部４１、オフセット部４２、及び、把持部４３が一体となって略筒状に形成され、内部が一連の連通空間部として形成され、当該連通空間部に軸方向Ｘに沿って配索材Ｗが挿通される。カバー４は、軸方向Ｘに沿ってコネクタハウジング３側から装着部４１、オフセット部４２、把持部４３の順に位置して一体化されている。そして、カバー４は、オフセット部４２の外面に押圧部４４が形成される。
【００２７】
装着部４１は、コネクタハウジング３に装着される部分であり、カバー４における基端部を構成する部分である。装着部４１は、コネクタハウジング３において各端子２に接続された複数の配索材Ｗが延在する側の端部、すなわち、コネクタハウジング３において相手方コネクタと嵌合する側とは反対側の端部に設けられる。装着部４１は、コネクタハウジング３の端部に複数の係止部４１ａを有する。係止部４１ａは、例えば、係止爪部等を含んで構成され、コネクタハウジング３に設けられた端子２に接続された複数の配索材Ｗがカバー４の内部に挿通された状態でコネクタハウジング３に係止されることで、当該カバー４をコネクタハウジング３に組み付け、固定するものである。
【００２８】
オフセット部４２は、カバー４の内部の連通空間部に挿通された配索材Ｗを幅方向Ｙ、及び、高さ方向Ｚに沿ってオフセットさせる部分である。つまり、オフセット部４２は、端子２に接続された配索材Ｗが軸方向Ｘに沿って挿通され当該配索材Ｗを軸方向Ｘと交差する交差方向である幅方向Ｙ、及び、高さ方向Ｚに沿ってオフセットさせる。オフセット部４２は、装着部４１のコネクタハウジング３側とは反対側の端部から幅方向Ｙ、及び、高さ方向Ｚに沿って屈曲した部分として形成される。これにより、オフセット部４２は、配索材Ｗの配索経路を幅方向Ｙ、及び、高さ方向Ｚに沿って屈曲させ、この状態で当該配索材Ｗの配索経路を規制する。カバー４は、配索材Ｗの配索経路に当該オフセット部４２が介在し、配索材Ｗの配索経路を幅方向Ｙ、及び、高さ方向Ｚに沿って屈曲させることで、配索材Ｗを幅方向Ｙ、及び、高さ方向Ｚに沿ってオフセットさせる。すなわち、カバー４は、オフセット部４２によって、軸方向視において、コネクタハウジング３の端部における配索材Ｗの位置に対して、当該カバー４のコネクタハウジング３側とは反対側の端部、すなわち、把持部４３側の端部における当該配索材Ｗの位置を幅方向Ｙ、及び、高さ方向Ｚにずらす。オフセット部４２は、取付孔Ｈ１に対する挿通孔Ｈ２の幅方向Ｙ、及び、高さ方向Ｚへの位置ずれに応じて幅方向Ｙ、及び、高さ方向Ｚに延在して形成され、内部に挿通される配索材Ｗを挿通孔Ｈ２に挿通可能な位置までオフセットさせる。
【００２９】
把持部４３は、作業員等によって把持可能に形成される部分であり、オフセット部４２の装着部４１側とは反対側の端部から軸方向Ｘに沿って筒状に突出して形成される。そして、本実施形態の把持部４３は、コネクタハウジング３が取付孔Ｈ１に嵌合した状態で、軸方向視において、挿通孔Ｈ２内に露出する位置に形成される。ここでは、把持部４３は、軸方向視において、挿通孔Ｈ２内に露出して位置した状態で、オフセット部４２とは反対側の端部が挿通孔Ｈ２から前面側、すなわち、取付パネルＰ１側とは反対側に突出して位置するように形成される。把持部４３は、上述したオフセット部４２が取付孔Ｈ１に対する挿通孔Ｈ２の幅方向Ｙ、及び、高さ方向Ｚへの位置ずれに応じて幅方向Ｙ、及び、高さ方向Ｚに延在して形成されることで、挿通孔Ｈ２内に露出する位置に形成される。またこれにより、把持部４３は、カバー４の内部の連通空間部に挿通された配索材Ｗを挿通孔Ｈ２に挿通可能とする。
【００３０】
押圧部４４は、把持部４３に隣接して設けられ、カバー４がコネクタハウジング３に装着された状態で当該コネクタハウジング３を軸方向Ｘに沿って取付孔Ｈ１内に押圧可能に形成された部分である。ここでは、押圧部４４は、上述したようにオフセット部４２の外面に形成される。より詳細には、押圧部４４は、軸方向視において、オフセット部４２の外面において、挿通孔Ｈ２内に露出して位置する領域に形成される。押圧部４４は、交差方向、ここでは、軸方向Ｘと直交する幅方向Ｙ、及び、高さ方向Ｚに沿って形成された平坦面４４ａを含む。平坦面４４ａは、オフセット部４２の装着部４１側とは反対側の外面において、挿通孔Ｈ２内に露出して位置する領域に形成される。
【００３１】
上記のように構成されるカバー４は、内部の連通空間部に複数の配索材Ｗが挿通された状態で、各配索材Ｗの端末に設けられた各端子２がコネクタハウジング３の端子挿入室に挿入され、その後、装着部４１がコネクタハウジング３に装着されることで、当該コネクタハウジング３に組み付けられる。
【００３２】
以上で説明したコネクタ１、カバー４、ワイヤハーネスＷＨは、取付孔Ｈ１が形成された取付パネルＰ１と対向して対向パネルＰ２が位置し、当該対向パネルＰ２において交差方向（幅方向Ｙ、高さ方向Ｚ）に取付孔Ｈ１とずれた位置に挿通孔Ｈ２が形成されている場合に、端子２に接続されカバー４に挿通された配索材Ｗを当該カバー４のオフセット部４２によって交差方向（幅方向Ｙ、高さ方向Ｚ）に沿ってオフセットさせることで、カバー４の内部に挿通された配索材Ｗを挿通孔Ｈ２に挿通し配索することができる。そして、コネクタ１、カバー４、ワイヤハーネスＷＨは、コネクタハウジング３が取付孔Ｈ１に嵌合した状態で、当該カバー４において挿通孔Ｈ２内に露出する位置に把持部４３が把持可能に形成されるので、当該把持部４３を把持しながら、当該挿通孔Ｈ２を介してコネクタハウジング３を取付孔Ｈ１に嵌合させることができる。この結果、コネクタ１、カバー４、ワイヤハーネスＷＨは、取付パネルＰ１への取付作業性を向上することができ、例えば、取付作業時間を短縮することができる。
【００３３】
より詳細には、以上で説明したコネクタ１、カバー４、ワイヤハーネスＷＨは、取付孔Ｈ１と挿通孔Ｈ２とが、軸方向視において、少なくとも取付孔Ｈ１の一部が挿通孔Ｈ２の範囲外に位置する場合、取付孔Ｈ１の重心位置Ｃ１が挿通孔の範囲外に位置する場合、取付孔Ｈ１の重心位置Ｃ１と挿通孔Ｈ２の重心位置Ｃ２とが交差方向であって互いに直交する２方向である幅方向Ｙ、及び、高さ方向Ｚにずれて位置する場合等に、把持部４３を把持しながら、当該挿通孔Ｈ２を介してコネクタハウジング３を取付孔Ｈ１に嵌合させることができるので、取付パネルＰ１への取付作業性を向上することができる。特に、コネクタ１、カバー４、ワイヤハーネスＷＨは、取付孔Ｈ１の重心位置Ｃ１と挿通孔Ｈ２の重心位置Ｃ２とが交差方向であって互いに直交する２方向である幅方向Ｙ、及び、高さ方向Ｚにずれて位置する場合、すなわち、取付孔Ｈ１と挿通孔Ｈ２とが２次元的に斜めにずれているような場合に、把持部４３を把持することによる取付作業性の向上効果をより顕著に発揮することができる。
【００３４】
さらに、以上で説明したコネクタ１、カバー４、ワイヤハーネスＷＨは、把持部４３を把持しつつ、カバー４において当該把持部４３に隣接して設けられ挿通孔Ｈ２内に露出して位置する押圧部４４を押圧することで、コネクタハウジング３を軸方向Ｘに沿って取付孔Ｈ１内に押圧し嵌合させやすい構成とすることができるので、取付パネルＰ１への取付作業性をさらに向上することができる。
【００３５】
さらに、以上で説明したコネクタ１、カバー４、ワイヤハーネスＷＨは、押圧部４４が軸方向Ｘと交差する交差方向（幅方向Ｙ、高さ方向Ｚ）に沿って形成された平坦面４４ａを含むので、コネクタハウジング３を軸方向Ｘに沿って取付孔Ｈ１内に押圧するための押圧力を当該平坦面４４ａに付加することで、当該押圧力をコネクタハウジング３に作用させやすくすることができる。この結果、コネクタ１、カバー４、ワイヤハーネスＷＨは、取付パネルＰ１への取付作業性をさらに向上することができる。
【００３６】
さらに、以上で説明したコネクタ１、カバー４、ワイヤハーネスＷＨは、取付孔Ｈ１と挿通孔Ｈ２との位置関係によっては、例えば、図４に示すように、把持部４３を保持しつつコネクタハウジング３を回動させながら取付孔Ｈ１内に軸方向Ｘに嵌合させることもできる。この場合、コネクタハウジング３は、取付パネルＰ１において取付孔Ｈ１を形成する取付縁部と当接する位置に、当該コネクタハウジング３を取付孔Ｈ１内の嵌合位置に回動させる回動動作の支点を構成する角部３２を有する。コネクタ１、カバー４、ワイヤハーネスＷＨは、当該角部３２を、取付孔Ｈ１を形成する取付縁部に押し当てて回動動作の支点とし、当該支点を通る回動軸線を回動中心としてコネクタハウジング３を取付孔Ｈ１内の嵌合位置に回動させることができる。この結果、コネクタ１、カバー４、ワイヤハーネスＷＨは、取付パネルＰ１への取付作業性をさらに向上することができる。
【００３７】
なお、上述した本発明の実施形態に係るコネクタ、コネクタカバー、及び、ワイヤハーネスは、上述した実施形態に限定されず、特許請求の範囲に記載された範囲で種々の変更が可能である。
【００３８】
以上で説明した本実施形態のコネクタ１は、待ち受けコネクタを構成するものとして説明したが、パネル固定型のコネクタであればこれに限らない。
【００３９】
以上の説明では、取付孔Ｈ１と挿通孔Ｈ２とは、軸方向視において、取付孔Ｈ１の重心位置Ｃ１が挿通孔Ｈ２の範囲外に位置し、挿通孔Ｈ２の重心位置Ｃ２が取付孔Ｈ１の範囲外に位置するようにずれて位置するものとして説明したがこれに限らない。さらに、以上の説明では、取付孔Ｈ１と挿通孔Ｈ２とは、取付孔Ｈ１の重心位置Ｃ１と挿通孔Ｈ２の重心位置Ｃ２とが幅方向Ｙと高さ方向Ｚとにずれて位置するものとして説明したがこれに限らず、取付孔Ｈ１と挿通孔Ｈ２とのずれ方向が幅方向Ｙと高さ方向Ｚとのどちらか一方であってもよい。また、取付孔Ｈ１、挿通孔Ｈ２は、それぞれ幅方向Ｙ、及び、高さ方向Ｚに対して線対称の形状に形成されるものとして説明したがこれに限らず、交差方向に対して相互にずれていれば非対称の形状でもよい。また、取付孔Ｈ１と挿通孔Ｈ２とは、軸方向視において、重ならずに位置し、すなわち、重なる範囲がなく完全にずれて位置していてもよい。この場合であっても、コネクタ１は、カバー４において挿通孔Ｈ２内に露出して位置する把持部４３Ａを把持しながら、当該挿通孔Ｈ２を介してコネクタハウジング３を取付孔Ｈ１に嵌合させることができるので、取付パネルＰ１への取付作業性をより顕著に向上することができる。
【００４０】
以上の説明では、カバー４は、装着部４１、オフセット部４２、及び、把持部４３が一体となって略筒状に形成され、内部が一連の連通空間部として形成され、当該連通空間部に配索材Ｗが軸方向Ｘに沿って挿通されるものとしたがこれに限らない。カバー４は、装着部４１、オフセット部４２、及び、把持部４３に相当する部分が半筒状に形成された２つの分割体を組み合わせることで略筒状に形成されるものであってもよい。また、カバー４は、装着部４１、オフセット部４２、及び、把持部４３の内部が一連の連通空間部として形成され当該連通空間部に配索材Ｗが挿通される構成であれば略筒状に限らず、配索方向と交差する方向の断面形状が略コの字型、略Ｃの字型等に形成されてもよい。
【００４１】
以上の説明では、把持部４３は、軸方向視において、挿通孔Ｈ２内に露出する位置し状態で、オフセット部４２とは反対側の端部が挿通孔Ｈ２から取付パネルＰ１側とは反対側に突出して位置するように形成されるものとして説明したがこれに限らない。例えば、図５に示す変形例に係るコネクタ１Ａは、カバー４にかえてコネクタカバーとしてのカバー４Ａを備え、当該カバー４Ａがオフセット部４２、把持部４３にかえてオフセット部４２Ａ、把持部４３Ａを有する点で上述したコネクタ１とは異なる。本変形例の把持部４３Ａは、軸方向視において、挿通孔Ｈ２内に露出して位置した状態で、オフセット部４２Ａとは反対側の端部が挿通孔Ｈ２から奥側、すなわち、取付パネルＰ１側に奥まって位置するように形成され、オフセット部４２Ａもこの形状に応じた形状となっている。この場合であっても、コネクタ１Ａは、カバー４Ａにおいて挿通孔Ｈ２内に露出して位置する把持部４３Ａを把持しながら、当該挿通孔Ｈ２を介してコネクタハウジング３を取付孔Ｈ１に嵌合させることができるので、取付パネルＰ１への取付作業性を向上することができる。
【符号の説明】
【００４２】
１、１Ａ    コネクタ
２    端子
３    コネクタハウジング
４、４Ａ    カバー（コネクタカバー）
３２    角部
４１    装着部
４２    オフセット部
４３、４３Ａ    把持部
４４    押圧部
４４ａ    平坦面
Ｃ１、Ｃ２    重心位置
Ｈ１    取付孔
Ｈ２    挿通孔
Ｐ１    取付パネル
Ｐ２    対向パネル
Ｗ    配索材
ＷＨ    ワイヤハーネス
Ｘ    軸方向
Ｙ    幅方向（交差方向）
Ｚ    高さ方向（交差方向）
【図１】
2018049702.tif 000003
【図２】
2018049702.tif 000004
【図３】
2018049702.tif 000005
【図４】
2018049702.tif 000006
【図５】
2018049702.tif 000007